(57)【要約】【課題】複数のデータ伝送速度を取り扱いながら複数のロールオフフィルタを不要にするとともに、後段にスムージングフィルタが配置される場合に、そのカットオフ周波数を変更するための回路を不要にして、回路の簡単小型化を図る。【解決手段】第１の送信データが入力された場合にはその１情報要素がシフトレジスタの複数のボックスに対し１個ずつ順次シフト入力させ、一方伝達速度が上記第１の送信データのＫ倍の第２の送信データが入力された場合にはその１情報要素−がシフトレジスタの複数のボックスに対し（Ｋ−１）個おきにシフト入力されると共に、当該情報要素が入力されなかったボックスには“０”が入力される。【選択図】　　図３
2004023457.tif 000002
【特許請求の範囲】
【請求項１】
第１の伝送速度を有する第１の送信データと、前記第１の伝送速度のＫ（Ｋは整数）倍の伝送速度を有する第２の送信データとが選択的に入力され、この入力された送信データに対し波形成形処理を行って出力するデジタルロールオフフィルタにおいて、
順列配置された複数のボックスを有し、前記入力された送信データをその１情報要素ごとに予め定められた一定速度の出力クロックに同期して前記複数のボックスに直列にシフト入力すると共に、このシフト入力された送信データの１情報要素を前記出力クロックに同期して前記複数のボックスから並列に出力するシフトレジスタと、
前記シフトレジスタの複数のボックスから出力された前記送信データの１情報要素に対し、所定のフィルタ係数に基づいて重み付け処理を行う重み付け回路と、
前記重み付け回路により重み付けがなされた送信データの１情報要素を相互に合成して出力する合成回路と、
前記シフトレジスタにおける前記送信データの入出力動作を制御する制御回路とを具備し、
前記制御回路は、
前記第１の送信データが入力された場合にはその１情報単位を前記シフトレジスタの複数のボックスに対し１個ずつ順次シフト入力させ、一方前記第２の送信データが入力された場合にはその１情報要素を前記シフトレジスタの複数のボックスに対し（Ｋ−１）個おきにシフト入力させると共に、当該情報要素が入力されなかったボックスには“０”を入力させることを特徴とするデジタルロールオフフィルタ。
【請求項２】
前記重み付け回路は、重み付け前の情報要素の符号に対応付けて重み付け後の情報要素の符号を記憶したテーブルを備え、前記シフトレジスタの複数のボックスから出力された情報要素の符号に対応する重み付け後の情報要素の符号を前記テーブルから読み出すことにより、重み付け処理を行うことを特徴とする請求項１記載のデジタルロールオフフィルタ。
【請求項３】
第１の伝送速度を有する第１の送信データと、前記第１の伝送速度のＫ（Ｋは整数）倍の伝送速度を有する第２の送信データとを選択的に出力する送信データ出力回路と、
この送信データ出力手段から出力された送信データに対し波形成形処理を行って出力するデジタルロールオフフィルタと、
このデジタルロールオフフィルタから出力された送信データを所定の変調方式に従い無線信号に変換し、この変換された無線信号を無線伝送路へ送信する無線回路と
制御回路とを具備し、
前記デジタルロールオフフィルタは、
順列配置された複数のボックスを有し、前記入力された送信データをその１情報要素ごとに予め定められた一定速度の出力クロックに同期して前記複数のボックスに直列にシフト入力すると共に、このシフト入力された送信データの１情報要素を前記出力クロックに同期して前記複数のボックスから並列に出力するシフトレジスタと、
前記シフトレジスタの複数のボックスから出力された前記送信データの１情報要素に対し、所定のフィルタ係数に基づいて重み付け処理を行う重み付け回路と、
前記重み付け回路により重み付けがなされた送信データの１情報要素を相互に合成して出力する合成回路とを備え、
前記制御回路は、
前記第１の送信データを送信する場合には、その１情報単位を前記シフトレジスタの複数のボックスに対し１個ずつ順次シフト入力させ、一方前記第２の送信データを送信する場合には、その１情報要素を前記シフトレジスタの複数のボックスに対し（Ｋ−１）個おきにシフト入力させると共に、当該情報要素が入力されなかったボックスには“０”を入力させる制御機能を備えたことを特徴とする無線装置。
【請求項４】
前記デジタルロールオフフィルタは、重み付け前の情報要素の符号に対応付けて重み付け後の情報要素の符号を記憶したテーブルを備え、前記シフトレジスタの複数のボックスから出力された情報要素の符号に対応する重み付け後の情報要素の符号を前記テーブルから読み出すことにより、重み付け処理を行うことを特徴とする請求項３記載の無線装置。
【発明の詳細な説明】
【０００１】
【発明の属する技術分野】
本発明は、例えば衛星通信システムにおいて用いられる地上局に設けられる無線装置と、そのデジタルロールオフフィルタに関する。
【０００２】
【従来の技術】
従来、衛星通信システムにおいてデータ送信のために用いられる無線装置では、送信データの符号間干渉を低減するために、送信データの変調処理の前に波形成形が行われる。この波形成形には一般にロールオフフィルタが用いられている。ロールオフフィルタは、データ伝送速度に応じて設定された周波数特性を有し、送信ベースバンド信号をこの周波数特性に応じて濾波することで不要成分を減衰させ、これにより所望の波形を得るものである。
【０００３】
ところで、最近、１台の無線装置に複数のデータ伝送速度を持たせ、これらのデータ伝送速度の中から任意の速度を選択してデータを送信することが行われている。しかし、このような装置では、データ伝送速度に対応して複数のロールオフフィルタを設ける必要があり、回路構成が大型化する問題がある。
【０００４】
そこで、ロールオフフィルタをデジタルロールオフフィルタと、その出力段に配置されるスムージングフィルタとから構成した回路が提案されている。この種のフィルタ回路であれば、デジタルロールオフフィルタのサンプリングクロックをデータ伝送速度に合わせて変更することができるので、１個のデジタルロールオフフィルタで複数のデータ伝送に対応できる利点がある。
【０００５】
しかしながら、このような従来のフィルタ回路では、スムージングフィルタのカットオフ周波数を送信データのデータ伝送速度に対応して変更しなければならない。この変更のためには、複数のカットオフ周波数を切り替える回路を別途設ける必要があり、その分、回路構成の複雑化大型化を招く問題があった。
【０００６】
【発明が解決しようとする課題】
従来のロールオフフィルタは、複数のデータ伝送速度に対応するために、アナログのロールオフフィルタを複数設けるか、あるいは、スムージングフィルタのカットオフ周波数特性を変更する回路が必要であり、回路構成の大型化と複雑化が避けられないという問題を有する。
【０００７】
この発明の目的は、以上の点に鑑み、複数のデータ伝送速度を取り扱うにもかかわらず複数のロールオフフィルタを不要にするとともに、後段にスムージングフィルタが配置される場合に、そのカットオフ周波数を変更するための回路を不要にして、回路の簡単小型化を図り得る無線装置とそのデジタルロールオフフィルタを提供することである。
【０００８】
【課題を解決するための手段】
上記目的を達成するためにこの発明は、第１の伝送速度を有する第１の送信データと、前記第１の伝送速度のＫ（Ｋは整数）倍の伝送速度を有する第２の送信データとが選択的に入力され、この入力された送信データに対し波形成形処理を行って出力するデジタルロールオフフィルタにおいて、順列配置された複数のボックスを有し、前記入力された送信データをその１情報要素ごとに予め定められた一定速度の出力クロックに同期して前記複数のボックスに直列にシフト入力すると共に、このシフト入力された送信データの１情報要素を前記出力クロックに同期して前記複数のボックスから並列に出力するシフトレジスタと、前記シフトレジスタの複数のボックスから出力された前記送信データの１情報要素に対し、所定のフィルタ係数に基づいて重み付け処理を行う重み付け回路と、前記重み付け回路により重み付けがなされた送信データの１情報要素を相互に合成して出力する合成回路と、前記シフトレジスタにおける前記送信データの入出力動作を制御する制御回路とを具備する。そして前記制御回路により、前記第１の送信データが入力された場合にはその１情報単位を前記シフトレジスタの複数のボックスに対し１個ずつ順次シフト入力させ、一方前記第２の送信データが入力された場合にはその１情報要素を前記シフトレジスタの複数のボックスに対し（Ｋ−１）個おきにシフト入力させると共に、当該情報要素が入力されなかったボックスには“０”を入力させるように構成したものである。
【０００９】
従ってこの発明によれば、第１の送信データが入力された場合にはその１ビットがシフトレジスタの複数のボックスに対し１個ずつ順次シフト入力させ、一方伝達速度が上記第１の送信データのＫ倍の第２の送信データが入力された場合にはその１ビットがシフトレジスタの複数のボックスに対し（Ｋ−１）個おきにシフト入力されると共に、当該情報要素が入力されなかったボックスには“０”が入力される。このため複数のデータ伝送速度を取り扱うにもかかわらず、複数のロールオフフィルタおよびスムージングフィルタのカットオフ周波数を変更するための回路を不要にして、回路の簡単小型化を図り得る無線装置及び無線装置で用いられるデジタルロールオフフィルタを提供することができる。
【００１０】
またこの発明は、重み付け回路として重み付け前の情報要素の符号に対応付けて重み付け後の情報要素の符号を記憶したテーブルを備えており、シフトレジスタの複数のボックスから出力された情報要素の符号に対応する重み付け後の情報要素の符号をテーブルから読み出すように構成されている。このため、複雑な演算回路を必要とせずに重み付け処理を行うことが出来る。
【００１１】
【発明の実施の形態】
図１は、本発明のロールオフフィルタを用いた衛星通信用の無線装置の実施形態を示した構成図である。この装置は、データ生成部１０と、モデム部２０と、送信部３０と、制御部４０とを備えている。
【００１２】
データ生成部１０では、複数のチャネルの送信データＴＤが生成される。これらの送信データＴＤの中には相互にデータ伝送速度の異なる送信データＴＤが含まれている。このデータ生成部１０で生成された送信データＴＤは、モデム部２０に入力される。モデム部２０は、セレクタ部１２と、フレーミング部１４と、ロールオフフィルタ部５０とを備える。セレクタ部１２は、制御部４０の指示に従い、データ生成部１０から入力された複数のチャネルの送信データＴＤの中から１つの送信データＴＤを選択する。選択された送信データＴＤはフレーミング部１４に入力される。このフレーミング部１４は、入力されたデータを所定のフレームフォーマットに変換した後、ロールオフフィルタ部５０に入力する。
【００１３】
このロールオフフィルタ部５０は、フィルタ制御部６０と、デジタルロールオフフィルタ５２と、スムージングフィルタ５４とを備える。デジタルロールオフフィルタ５２は、フィルタ制御部６０から出力された入力された送信データＴＤを所定のロールオフ特性に従いフィルタリングする。スムージングフィルタ５４は、デジタルロールオフフィルタ５２から出力された送信データＴＤを、その出力クロック速度に対応して予め決められたカットオフ周波数特性に従い、フィルタリングして出力する。
【００１４】
送信部３０は変調部３２を備える。この変調部３２では、上記スムージングフィルタ５４から出力された送信データＴＤが任意の変調方式、例えばＰＳＫ（Ｐｈａｓｅ　Ｓｈｉｆｔ　Ｋｅｙｉｎｇ）方式に従って変調される。そしてこの変調により生成された無線信号は、図示しない送信電力増幅器により増幅された後、アンテナ３４から通信衛星７０に向け送信される。
【００１５】
ところで、上記デジタルロールオフフィルタ５２は、次のように構成される。図２はその構成を示すブロック図である。デジタルロールオフフィルタ５２は、並列に配置された複数のブロックＢ１〜ＢＮを備えている。これらのブロックＢ１〜ＢＮは、それぞれレジスタＲ１〜ＲＮと、タップＴ１〜ＴＮと、出力部Ｃ１〜ＣＮとを備えている。出力部Ｃ１〜ＣＮは加算回路からなり、上記タップＴ１〜ＴＮから出力された送信データを加算回路によって相互に加算して出力する。また上記各出力部Ｃ１〜ＣＮから出力された各ブロックＢ１〜ＢＮの送信データＴＤは、出力部３００に入力される。この出力部３００も加算回路からなり、上記ブロックＢ１〜ＢＮから出力された送信データを相互に加算し、その加算結果をデジタルロールオフフィルタ５２の出力としてスムージングフィルタ５４へ供給する。
【００１６】
図３はブロックＢ１の構成を示すブロック図である。なお、ブロックＢ２〜ＢＮも同様に構成されているので説明は省略する。同図において、レジスタＲ１はシフトレジスタＲ１Ａとラッチ回路Ｒ１Ｂとから構成される。これらのシフトレジスタＲ１Ａ及びラッチ回路Ｒ１Ｂは、ともに順列配置されたＭ個のボックスと呼ばれる記憶領域を備える。またタップＴ１は上記レジスタＲ１の記憶領域に対応してＭ個からなり、これらＭ個のタップＴ１にはテーブルが設けられている。これらのテーブルは、タップＴ１で行われる重み付け処理において、重み付け前のデータの符号に対応付けて重み付け後のデータの符号を記憶した例えば不揮発性メモリからなる。なお上記Ｍは、デジタルロールオフフィルタ５２からスムージングフィルタ５４へ送信データＴＤを出力するための一定速度を有する出力クロックＣＬＫｏｕｔのクロック速度を送信データＴＤのデータ伝送速度に対応する入力クロックＣＬＫｉｎ速度で除した最大値である。例えば、出力クロックＣＬＫｏｕｔのクロック速度が入力クロックＣＬＫｉｎ速度のクロック速度よりも最大で２５６倍であるならばＭは２５６となる（入力クロック速度＜出力クロック速度）。
【００１７】
一方フィルタ制御部６０は、次のように構成される。図４はその構成を示すブロック図である。フィルタ制御部６０は、セレクタ部６２と、０値データ生成部６４と、クロック生成部６５と、伝送速度判断部６６とを備える。またセレクタ部６２は、セレクタ制御部６３を備える。
【００１８】
フィルタ制御部６０には、入力クロックＣＬＫｉｎと、この入力クロックＣＬＫｉｎに同期した送信データＴＤとが入力される。このうち入力クロックＣＬＫｉｎは伝送速度判断部６６に入力される。伝送速度判断部６６では、入力された入力クロックＣＬＫｉｎのクロック速度と、（予め伝送速度判断部６６が例えばフラッシュメモリ等に保持している）標準のクロック速度とが比較されることにより、入力クロックＣＬＫｉｎのクロック速度が標準のクロック速度の何倍であるかが判断される。例えばＫ倍であるとすると、入力クロックＣＬＫｉｎに同期して入力された送信データＴＤの伝送速度もＫ倍となる。入力された送信データＴＤの伝送速度が標準のクロック速度のＫ倍であるという情報（伝送速度情報）は、クロック生成部６５と、セレクタ部６２が有するセレクタ制御部６３に入力される。クロック生成部６５では、入力された伝送速度情報に基づき、出力クロックＣＬＫｏｕｔのＫ倍のクロック（以下、出力クロックＣＬＫｏｕｔＫと称す）と、標準の出力クロックＣＬＫｏｕｔとが生成される。生成された出力クロックＣＬＫｏｕｔＫは、セレクタ部６２が有するセレクタ制御部６３とシフトレジスタＲ１Ａに入力され、生成された標準の出力クロックＣＬＫｏｕｔは、後述するラッチ回路Ｒ１Ｂに入力される。０値データ生成部６４は、０値データを生成してセレクタ部６２に入力する。セレクタ部６２では、入力された０値データと送信データＴＤとがセレクタ制御部６３によって選択される。この選択は入力された伝送速度情報に基づいて行われる。
【００１９】
次に、以上のように構成されたロールオフフィルタ部５０の動作を説明する。まず、標準の伝送速度の送信データＴＤがフィルタ制御部６０に入力された場合について説明する。
【００２０】
入力クロックＣＬＫｉｎと、この入力クロックＣＬＫｉｎに同期した標準の伝送速度の送信データＴＤとがフィルタ制御部６０に入力されると、前記入力クロックＣＬＫｉｎのクロック速度が伝送速度判断部６６において標準のクロック速度と比較され、これにより標準のクロック速度の何倍のクロック速度であるかが判断される。今、ここでは標準の伝送速度の送信データＴＤが入力されるのでクロック速度は１倍であると判断される。このクロック速度倍数の判定結果をもとに、クロック生成部６５では、標準出力クロック及びこの標準出力クロックに対し１倍の速度を有するクロック、つまり標準出力クロックと同速度の出力クロックＣＬＫｏｕｔＫが生成される。セレクタ制御部６３は上記伝送速度情報に基づいて、シフトレジスタＲ１Ａへ入力された送信データＴＤと０値データとのうち送信データＴＤのみを選択して出力する。このときの送信データＴＤのデータ構成を図５（ａ）に示す。
【００２１】
即ち、送信データＴＤの各ビットＤ１、Ｄ２・・・は標準のクロック速度（出力クロックＣＬＫｏｕｔ）と同一速度の出力クロックＣＬＫｏｕｔＫに同期して、図５（ｂ）に示すようにＭ個の、例えばＭが２５６であれば２５６個のＤ１に分割された状態でシフトレジスタＲ１Ａに直列にシフト入力される。また上記シフトレジスタＲ１Ａの１つのボックスに送信データＴＤが１回シフト入力されるごとに、このシフト入力された送信データＴＤは出力クロックＣＬＫｏｕｔに同期してラッチ回路Ｒ１ＢからタップＴ１〜ＴＮへ出力される。
【００２２】
タップＴ１ではタップＴ１が保持しているテーブルに従って、上記ラッチ回路Ｒ１Ｂから出力された送信データＴＤに対する重み付け処理が行われる。このテーブルには、先に述べたように重み付け前の送信データＴＤの符号に対応付けて重み付け後の送信データＴＤの符号が記憶されており、送信データＴＤの符号に対応する重み付け後の送信データＴＤの符号がテーブルから読み出される。例えば送信データＴＤの符号としてプラスのデータがタップＴ１に入力され、このときタップＴ１のテーブルでプラスの符号に対応づけてマイナスの符号が記憶されている場合に、マイナスの符号が読み出される。
【００２３】
以上のように重み付けがなされた送信データＴＤは、出力クロックに同期して出力部Ｃ１に入力され、ここで２５６ボックス分が相互に加算されて出力部３００に入力される。
【００２４】
次に、２倍の伝送速度の送信データＴＤがフィルタ制御部６０に入力された場合について説明する。
【００２５】
入力クロックＣＬＫｉｎと、この入力クロックＣＬＫｉｎに同期した２倍の伝送速度の送信データＴＤとがフィルタ制御部６０に入力されると、前記入力クロックＣＬＫｉｎのクロック速度が伝送速度判断部６６において標準のクロック速度と比較され、これにより、標準のクロック速度の何倍のクロック速度であるかが判断される。今、ここでは２倍の伝送速度の送信データＴＤが入力されているので、クロック速度は２倍であると判断される。このクロック速度倍数の判定結果をもとに、クロック生成部６５では、標準出力クロックＣＬＫｏｕｔ及びこの標準出力クロックＣＬＫｏｕｔに対し２倍の速度を有するシフトクロックＣＬＫｏｕｔＫが生成される。セレクタ制御部６３は上記伝送速度情報に基づいて、シフトレジスタＲ１Ａへ入力された送信データＴＤと０値データとを選択して出力する。このときの送信データＴＤのデータ構成を図５（ｃ）に示す。
【００２６】
即ち、送信データＴＤの各ビットＤ１、Ｄ２・・・はシフトクロックＣＬＫｏｕｔＫに同期して、図５（ｄ）に示すようにＭ個の、例えばＭが２５６であれば２５６個に分割されたビットのうち、Ｄ１と０値データとを交互に配列される。送信データＴＤはこの状態でシフトレジスタＲ１Ａに直列にシフト入力される。また上記シフトレジスタＲ１Ａの１つのボックスに送信データＴＤが１回シフト入力されるごとに、このシフト入力された送信データＴＤは出力クロックＣＬＫｏｕｔに同期してラッチ回路Ｒ１ＢからタップＴ１〜ＴＮへ出力される。このとき２倍の出力クロックＣＬＫｏｕｔＫに同期してシフトレジスタＲ１Ａに入力されるので、標準の出力クロックＣＬＫｏｕｔに対して２倍の２ビットづつ入力される。例えばＤ１と０値データとの２ビットである。このシフト入力された送信データＴＤは出力クロックＣＬＫｏｕｔに同期してラッチ回路Ｒ１ＢからタップＴ１〜ＴＮへ出力される。
【００２７】
タップＴ１ではタップＴ１が保持しているテーブルに従って上記ラッチ回路Ｒ１Ｂから入力された送信データＴＤに対する重み付け処理が行われる。このテーブルには、先に述べたように重み付け前の送信データＴＤの符号に対応付けて重み付け後の送信データＴＤの符号が記憶されており、送信データＴＤの符号に対応する重み付け後の送信データＴＤの符号がテーブルから読み出される。
【００２８】
以上のように重み付けがなされた送信データＴＤは、出力クロックＣＬＫｏｕｔに同期して出力部Ｃ１に入力され、ここで２５６ボックス分が相互に加算されて出力部３００に入力される。このように、２倍の伝送速度の送信データＴＤがフィルタ制御部６０に入力された場合にも出力クロックＣＬＫｏｕｔと同じクロック速度で出力部Ｃ１から出力される。
【００２９】
さらに、フィルタ制御部６０に入力された送信データＴＤの伝送速度が標準のクロック速度の４倍となった場合は、ボックスの３個置きにＤ１を挿入し、それ以外のボックスには０値データを挿入した送信データＴＤを用いる。即ちボックスにＤ１が挿入されると次の２つのボックスには０値データが挿入されるデータ構造の送信データＴＤとなる。このように入力される送信データＴＤの伝送速度が標準のクロック速度のＫ倍であれば、Ｋ−１置きのボックスにＤ１を挿入し、それ以外のボックスには０値データを挿入したデータ構造の送信データＴＤを用いる。これにより、出力部Ｃ１から出力される出力クロックＣＬＫｏｕｔのクロック速度を一定に保つことができる。
【００３０】
以上述べたようにこの実施形態では、デジタルロールオフフィルタに入力される送信データＴＤのデータ速度が変更されてもデジタルロールオフフィルタから出力される出力クロック速度を一定に保つことができるので、複数のロールオフフィルタを備える必要がなく、また後段にスムージングフィルタが配置される場合にも、そのカットオフ周波数を変更するための回路を不要にして、回路の簡単小型化を図り得ることができる。
【００３１】
さらに上述した重み付けの処理は、シフトレジスタＲ１Ａに入力された送信データＴＤはデジタルデータであるので入力される値は限定される、という性質を利用しているので、従来のように入力された送信データＴＤとタップＴ１に記憶されている係数とを毎回乗算処理するのではなく、この発明はＰＳＫ方式の場合であれば、＋１、−１の２通りであるので入力された送信データＴＤの正負の符号を変更するだけの処理でよく、テーブルに対応する値を出力する。そしてタップＴ１内に乗算回路を備えて乗算処理を行うことなくタップＴ１から出力された送信データＴＤの加算処理だけを行うので回路規模を縮小できる。
【００３２】
またこの実施形態の変形例として、上記通信衛星７０は防災衛星や放送衛星等であるが、送信データＴＤの送信先はこれら防災衛星や放送衛星等に限定されるものではなく、送信データＴＤの受信機能を備えた送信先であればよい。また上記送信部３０は固定局でも移動局でもよく、通信携帯端末であってもよい。
【００３３】
また上記フィルタ制御部６０は、ロールオフフィルタ部５０の外部に設けられていてもよく、モデム部２０の外部に設けられていてもよい。さらにデジタルロールオフフィルタ５２内に設けられていてもよく、設置場所を問わない。
【００３４】
【発明の効果】
本発明を用いることにより、第１の送信データが入力された場合にはその１情報単位がシフトレジスタの複数のボックスに対し１個ずつ順次シフト入力させ、一方伝達速度が上記第１の送信データのＫ倍の第２の送信データが入力された場合にはその１情報要素がシフトレジスタの複数のボックスに対し（Ｋ−１）個おきにシフト入力されると共に、当該情報要素が入力されなかったボックスには“０”が入力される。このため複数のデータ伝送速度を取り扱うにもかかわらず、複数のロールオフフィルタおよびスムージングフィルタのカットオフ周波数を変更するための回路を不要にして、回路の簡単小型化を図り得る無線装置及び無線装置で用いられるデジタルロールオフフィルタを提供することができる。
【図面の簡単な説明】
【図１】図１は、この発明の実施形態に係るデジタルロールオフフィルタを用いた無線装置を示した構成図である。
【図２】図２は、この発明の実施形態に係るデジタルロールオフフィルタの構成を示したブロック図である。
【図３】図３は、デジタルロールオフフィルタのブロックＢ１の構成を示したブロック図である。
【図４】図４は、フィルタ制御部の構成を示したブロック図である。
【図５】図５（ａ）、（ｂ）は、フィルタ制御部に入力された１倍の伝送速度を持つ送信データのデータ構成を示した構成図であり、図５（ｃ）、（ｄ）は、フィルタ制御部に入力された２倍の伝送速度を持つ送信データのデータ構成を示した構成図である。
【符号の説明】
１０…データ生成部
１２…セレクタ部
１４…フレーミング部
２０…モデム部
３０…送信部
３２…変調部
３４…アンテナ
４０…制御部
５０…ロールオフフィルタ部
５２…デジタルロールオフフィルタ
５４…スムージングフィルタ
６０…フィルタ制御部
６２…セレクタ部
６３…セレクタ制御部
６４…０値データ生成部
６５…クロック生成部
６６…伝送速度判断部
７０…通信衛星
Ｃ１〜ＣＮ、３００…出力部
Ｔ１〜ＴＮ…タップ
Ｒ１〜ＲＮ…レジスタ
Ｂ１〜ＢＮ…ブロック
ＴＤ…送信データ
【図１】
2004023457.tif 000003
【図２】
2004023457.tif 000004
【図３】
2004023457.tif 000005
【図４】
2004023457.tif 000006
【図５】
2004023457.tif 000007